(57)【要約】【課題】フィルタの交換が容易で、フィルタの濾過面積を拡大できる燃料供給装置の提供。【解決手段】燃料を吸入し吐出する燃料ポンプ１０と、燃料ポンプ１０が吸入する燃料に含まれる異物を除去するフィルタ２０と、を備える燃料供給装置１であって、燃料ポンプ１０は、ポンプケース３０に収容され、フィルタ２０は、フィルタケース４０に収容され、ポンプケース３０とフィルタケース４０とを連結させるケース連結部５０と、ケース連結部５０によってポンプケース３０とフィルタケース４０とが連結したときに、燃料ポンプ１０の吸入口１２ａ側の流路とフィルタ２０の出口管２２側の流路とを連通させる流路連通部６０と、を備え、ケース連結部５０が、スナップフィットからなる、という構成を採用する。【選択図】図１
2017172559.tif 000002
【特許請求の範囲】
【請求項１】
燃料を吸入し吐出する燃料ポンプと、前記燃料ポンプが吸入する燃料に含まれる異物を除去するフィルタと、を備える燃料供給装置であって、
前記燃料ポンプは、ポンプケースに収容され、
前記フィルタは、フィルタケースに収容され、
前記ポンプケースと前記フィルタケースとを連結させるケース連結部と、
前記ケース連結部によって前記ポンプケースと前記フィルタケースとが連結したときに、前記燃料ポンプの吸入口側の流路と前記フィルタの出口側の流路とを連通させる流路連通部と、を備え、
前記ケース連結部が、スナップフィットからなる、ことを特徴とする燃料供給装置。
【発明の詳細な説明】
【技術分野】
【０００１】
本発明は、燃料供給装置に関するものである。
【背景技術】
【０００２】
燃料供給装置として、下記特許文献１には、燃料タンクの外部に配設され、該燃料タンク内の燃料が流入され、内燃機関に給送する燃料ポンプを収容した燃料ポンプモジュールが開示されている。この燃料ポンプモジュールは、蓋体と、該蓋体に着脱可能に取り付けられた筐体とで構成され、該筐体底部には、燃料タンクから流入した燃料が溜まるようになっており、燃料ポンプと筐体底部との間には、燃料フィルタが配設され、該燃料フィルタは、筐体を蓋体から取り外すことによって燃料ポンプと共に交換可能になっている。
【先行技術文献】
【特許文献】
【０００３】
【特許文献１】特開２００６−１８２１５４号公報
【発明の概要】
【発明が解決しようとする課題】
【０００４】
上記従来技術の構成において、燃料フィルタを交換するためには、筐体と蓋体の着脱、燃料ポンプと燃料フィルタの着脱という二段階の作業が必要になり、工数がかかってしまう。また、燃料タンク外に配置される燃料供給装置は、特に小型化が求められており、燃料タンク内と比べて筐体の内部空間が限られるため、濾過面積の大きなフィルタを配置することができず、フィルタの目詰まりによる交換頻度が高くなってしまう。
【０００５】
本発明は、上記問題点に鑑みてなされたものであり、フィルタの交換が容易で、フィルタの濾過面積を拡大できる燃料供給装置の提供を目的とする。
【課題を解決するための手段】
【０００６】
上記の課題を解決するために、本発明は、燃料を吸入し吐出する燃料ポンプと、前記燃料ポンプが吸入する燃料に含まれる異物を除去するフィルタと、を備える燃料供給装置であって、前記燃料ポンプは、ポンプケースに収容され、前記フィルタは、フィルタケースに収容され、前記ポンプケースと前記フィルタケースとを連結させるケース連結部と、前記ケース連結部によって前記ポンプケースと前記フィルタケースとが連結したときに、前記燃料ポンプの吸入口側の流路と前記フィルタの出口側の流路とを連通させる流路連通部と、を備え、前記ケース連結部が、スナップフィットからなる、という構成を採用する。
【発明の効果】
【０００７】
本発明においては、フィルタをポンプケースとは別体のフィルタケース内に収容することで、フィルタの濾過面積を容易に拡大することができる。また、フィルタを交換する際には、スナップフィットからなるケース連結部の連結を解除することで、フィルタをフィルタケースごと交換することができ、一段階の作業でフィルタを容易に交換できる。さらに、フィルタケースは、ポンプケースとは別体であるため、ポンプケースに何ら変更を加えることなく、使用される燃料性状や要求される耐用期間等に応じて、ケースの大きさやフィルタサイズを適宜設定することで対応できる。
このように、本発明によれば、フィルタの交換が容易で、フィルタの濾過面積を拡大できる燃料供給装置が得られる。
【図面の簡単な説明】
【０００８】
【図１】本実施形態の燃料供給装置の構成を示す断面図である。
【発明を実施するための形態】
【０００９】
以下、図面を参照して、本発明に係る燃料供給装置の一実施形態について説明する。なお、以下の図面において、各部材を認識可能な大きさとするために、各部材の縮尺を適宜変更している。
【００１０】
図１は、本実施形態の燃料供給装置１の構成を示す断面図である。
燃料供給装置１は、燃料タンクの外部に配置され、例えば、自動二輪車の車体フレームにブランケットを介して取り付けられる。燃料供給装置１は、燃料を吸入し吐出する燃料ポンプ１０と、燃料ポンプ１０が吸入する燃料に含まれる異物を除去するフィルタ２０と、を備える。燃料ポンプ１０は、ポンプケース３０に収容されている。また、フィルタ２０は、フィルタケース４０に収容されている。
【００１１】
燃料ポンプ１０は、電動モータ（図示せず）と、当該電動モータにより駆動するポンプ（図示せず）とが円筒状のケーシングに内装されたものであり、当該ケーシングの長手方向の一端部には燃料吐出部１１が突設され、当該ケーシングの長手方向の他端部には燃料吸入部１２が突設されている。燃料吐出部１１の先端には、燃料を吐出する吐出口１１ａが形成されている。また、燃料吸入部１２の先端には、燃料を吸入する吸入口１２ａが形成されている。
【００１２】
ポンプケース３０は、燃料ポンプ１０を収容する収容空間Ｓ１を有する。ポンプケース３０は、第１ポンプケース形成部材３０ａと、第２ポンプケース形成部材３０ｂとが結合されて略円筒状に形成されている。第１ポンプケース形成部材３０ａは、燃料ポンプ１０の燃料吐出部１１が接続される接続流路３１と、接続流路３１と連通する燃料吐出管３２と、燃料吐出管３２と連通する燃料戻し流路３３と、燃料戻し流路３３と連通する燃料戻し管３４と、を備える。
【００１３】
接続流路３１には、燃料吐出部１１が挿入される。接続流路３１と燃料吐出部１１との隙間は、リング状のシール部材１３によって液密にシールされる。燃料吐出管３２は、内燃機関と配管を介して接続され、燃料ポンプ１０の吐出口１１ａから吐出された燃料を内燃機関に供給する。燃料戻し流路３３には、圧力調整弁３５が配置されている。圧力調整弁３５は、燃料吐出管３２を流通する燃料の圧力を所定の圧力に調整する。
【００１４】
燃料戻し管３４は、燃料タンクと配管を介して接続されており、圧力調整弁３５が開き、燃料戻し流路３３を介して収容空間Ｓ１に戻された燃料を燃料タンクに還流させる。第２ポンプケース形成部材３０ｂは、燃料ポンプ１０の燃料吸入部１２が接続される接続流路３６を備える。接続流路３６は、円筒状に形成され、第２ポンプケース形成部材３０ｂの端面から突設されている。
【００１５】
フィルタ２０は、フィルタ本体２１と、フィルタ本体２１と接続された出口管２２と、を備える。フィルタ本体２１は、中空の略Ｃ字状の構造体であり、その表面には図示しない微細な孔部（隙間）が形成されている。出口管２２は、フィルタ本体２１の内部と連通しており、フィルタ本体２１を通過して濾過された燃料が流通する。なお、フィルタ本体２１は、図１に示す形状に限定されず、その仕様によってその形状や大きさを適宜変更することができる。
【００１６】
フィルタケース４０は、フィルタ２０を収容する収容空間Ｓ２を有する。フィルタケース４０は、第１フィルタケース形成部材４０ａと、第２フィルタケース形成部材４０ｂとが結合されて略円筒状に形成されている。第１フィルタケース形成部材４０ａは、フィルタ２０の出口管２２が接続される接続流路４１を備える。接続流路４１は、円筒状に形成され、第１フィルタケース形成部材４０ａの端面から内方（収容空間Ｓ２）に向かって突設されている。第２フィルタケース形成部材４０ｂは、燃料タンクと配管を介して接続される燃料吸入管４２を備える。
【００１７】
燃料供給装置１は、上記構成のポンプケース３０とフィルタケース４０とを連結させるケース連結部５０を備える。ケース連結部５０は、着脱自在なスナップフィットからなり、ポンプケース３０に設けられた凸部５１と、フィルタケース４０に設けられた凹部５２と、を備える。凸部５１は、第２ポンプケース形成部材３０ｂの外周面に複数（本実施形態では９０°間隔で４つ）設けられている。この凸部５１は、フィルタケース４０から離間するに従って高くなる直角三角形状を有する。
【００１８】
凹部５２は、第１フィルタケース形成部材４０ａの外周面に、凸部５１と同じピッチで複数（本実施形態では９０°間隔で４つ）設けられている。凹部５２は、弾性変形可能な板部５２ａと、板部５２ａを貫通して形成された貫通孔５２ｂと、を備える。板部５２ａは、第１フィルタケース形成部材４０ａからポンプケース３０に向かって突設され、弾性変形可能とされている。貫通孔５２ｂは、矩形状に形成され、板部５２ａの弾性変形によって、凸部５１に対して係脱可能な構成となっている。
【００１９】
また、燃料供給装置１は、ケース連結部５０によってポンプケース３０とフィルタケース４０とが連結したときに、燃料ポンプ１０の吸入口１２ａ側の流路とフィルタ２０の出口管２２側の流路とを連通させる流路連通部６０を備える。流路連通部６０は、燃料ポンプ１０の燃料吸入部１２が接続される接続流路３６と、フィルタ２０の出口管２２が接続される接続流路４１と、によって形成されている。
【００２０】
すなわち、接続流路４１は、フィルタケース４０の内方に向かって窪んだ溝形状を有し、ポンプケース３０から突出した接続流路３６が挿入可能な構成となっている。接続流路４１の内径は、接続流路３６の外径と略等しい。接続流路３１と接続流路４１との隙間は、リング状のシール部材６１によって液密にシールされる。シール部材６１は、ポンプケース３０とフィルタケース４０とがケース連結部５０によって連結されたときに、ポンプケース３０とフィルタケース４０の間に挟み込まれて圧縮状態となる。
【００２１】
このように構成された燃料供給装置１においては、フィルタ２０をポンプケース３０とは別体のフィルタケース４０内に収容することで、フィルタ２０の濾過面積を容易に拡大することができる。また、フィルタ２０を交換する際には、スナップフィットからなるケース連結部５０の連結を解除することで、フィルタ２０をフィルタケース４０ごと交換することができ、一段階の作業でフィルタ２０を容易に交換できる。さらに、フィルタケース４０は、ポンプケース３０とは別体であるため、ポンプケース３０に何ら変更を加えることなく、使用される燃料性状や要求される耐用期間等に応じて、ケースの大きさやフィルタサイズを適宜設定することで対応できる。
【００２２】
このように、上述の本実施形態によれば、燃料を吸入し吐出する燃料ポンプ１０と、燃料ポンプ１０が吸入する燃料に含まれる異物を除去するフィルタ２０と、を備える燃料供給装置１であって、燃料ポンプ１０は、ポンプケース３０に収容され、フィルタ２０は、フィルタケース４０に収容され、ポンプケース３０とフィルタケース４０とを連結させるケース連結部５０と、ケース連結部５０によってポンプケース３０とフィルタケース４０とが連結したときに、燃料ポンプ１０の吸入口１２ａ側の流路とフィルタ２０の出口管２２側の流路とを連通させる流路連通部６０と、を備え、ケース連結部５０が、スナップフィットからなる、という構成を採用することによって、フィルタ２０の交換が容易で、フィルタ２０の濾過面積を拡大できる。
【００２３】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【符号の説明】
【００２４】
１…燃料供給装置、１０…燃料ポンプ、１２ａ…吸入口、２０…フィルタ、２２…出口管、３０…ポンプケース、４０…フィルタケース、５０…ケース連結部、６０…流路接続部
【図１】
2017172559.tif 000003